(57)【要約】【課題】  機能水を用いて脱臭対象物の臭いを脱臭できる脱臭手段を備えた洗濯機およびその制御方法を提供し、及び洗濯過程と独立して脱臭できる脱臭手段を備えた洗濯機およびその制御方法を提供すること。【解決手段】  洗濯水が収容される水槽１１と、前記水槽１１の内部に回転可自在に設置された洗濯槽１２と、本体１０に設置され、前記洗濯槽１２に置かれた洗濯物の臭いを脱臭する脱臭手段と、洗濯過程と独立して脱臭モードを行うように前記脱臭手段を制御する制御装置と、を含み、前記脱臭手段は、脱臭効果を有する機能水を生成する機能水製造装置２０，１００と、前記機能水を受けて加熱する加熱タンク４１と、前記加熱タンク４１で加熱された機能水から得られたスチームを前記洗濯槽１２内部の脱臭対象物に供給するスチーム供給管７１と、を含んで脱臭手段を備えた洗濯機を構成する。【選択図】  図１
2005334635.tif 000002
【特許請求の範囲】
【請求項１】
洗濯水が収容される水槽と；
前記水槽の内部に回転可自在に設置された洗濯槽と；
本体に設置され、前記洗濯槽に置かれた洗濯物の臭いを脱臭する脱臭手段と；
洗濯過程と独立して脱臭モードを行うように前記脱臭手段を制御する制御装置と；を含む洗濯機であって、
前記脱臭手段は、
脱臭効果を有する機能水を生成する機能水製造装置と；
前記機能水を受けて加熱する加熱タンクと；
前記加熱タンクで加熱された機能水から得られたスチームを前記洗濯槽内部の脱臭対象物に供給するスチーム供給管と；
を含むことを特徴とする脱臭手段を備えた洗濯機。
【請求項２】
前記洗濯機は、脱臭命令を入力するための入力手段をさらに含むことを特徴とする、請求項１記載の脱臭手段を備えた洗濯機。
【請求項３】
前記機能水製造装置には、水を供給する給水管が連結され、
前記給水管には、水の流れを制御する給水弁が設置され、
前記機能水製造装置および前記加熱タンクは、連結管により連結され、
前記連結管には、前記機能水の流れを調節する連結弁が設置されることを特徴とする、請求項１記載の脱臭手段を備えた洗濯機。
【請求項４】
前記機能水製造装置は、銀溶液を生成する銀溶液製造装置であることを特徴とする、請求項１記載の脱臭手段を備えた洗濯機。
【請求項５】
前記機能水製造装置は、電気分解水を生成する電気分解装置であることを特徴とする、請求項１記載の脱臭手段を備えた洗濯機。
【請求項６】
前記洗濯機は、前記洗濯槽に熱風を供給するための乾燥装置をさらに含むことを特徴とする、請求項１記載の脱臭手段を備えた洗濯機。
【請求項７】
前記乾燥装置は、
水槽に空気を供給する送風ファンと；
前記送風ファンの吐出口と前記水槽の開口とを連結し、前記送風ファンから供給された空気を前記水槽に吐出する吐出ダクトと；
前記水槽の後方下部に形成された空気排出口と前記送風ファンの吸入口とを連結して水分を凝縮する凝縮ダクトと；
前記吐出ダクトに設置され、前記送風ファンから供給された空気を加熱するヒータと；を含むことを特徴とする、請求項６記載の脱臭手段を備えた洗濯機。
【請求項８】
脱臭信号が入力されたかどうかを判断する過程と、
前記脱臭信号が入力されたと判断される場合、脱臭効果を有する機能水を加熱して得られたスチームを洗濯機の洗濯槽に供給する過程と、
を含むことを特徴とする脱臭手段を備えた洗濯機の制御方法。
【請求項９】
前記スチームを前記洗濯槽に供給する過程は、洗濯過程と独立して行えることを特徴とする、請求項８記載の脱臭手段を備えた洗濯機の制御方法。
【請求項１０】
前記制御方法は、前記スチームを前記洗濯槽に供給した後、前記洗濯槽内に熱風を供給する過程をさらに含むことを特徴とする、請求項８記載の脱臭手段を備えた洗濯機の制御方法。
【請求項１１】
水が収容される水槽と；
前記水槽の内部に回転可自在に設置され、その内部に洗濯物が置かれる洗濯槽と；
洗濯機の洗濯過程と独立して、洗濯槽の内部に置かれた洗濯物の臭いを脱臭する脱臭装置と；を含むことを特徴とする洗濯機。
【請求項１２】
前記脱臭装置は、
脱臭剤を収容する水を生成する水生成装置と；
前記水生成装置と連結され、前記水生成装置内の水を加熱する加熱装置と；
加熱された水からスチームを生成し、前記スチームを前記洗濯槽内に置かれた脱臭洗濯物に供給するスチーム供給装置と；を含むことを特徴とする、請求項１１記載の洗濯機。
【発明の詳細な説明】
【技術分野】
【０００１】
本発明は、脱臭手段を備えた洗濯機およびその制御方法に関するもので、詳しくは、脱臭対象物の臭いを脱臭できる脱臭手段を備えた洗濯機およびその制御方法に関するものである。
【背景技術】
【０００２】
一般に、洗濯機は、水と衣類との摩擦を用いて衣類の汚染物質を除去する装置であって、洗濯方式によって多様な種類がある。そのうち、最近広く使用されているドラム洗濯機は、洗濯水を収容する円筒状の水槽と、この水槽の内部に回転自在に設置される円筒状の洗濯槽と、この洗濯槽を回転するモータと、洗濯槽に水を供給するための給水装置と、洗濯槽に置かれた洗濯物を乾燥するための乾燥装置と、を備えている。
【０００３】
このような従来のドラム洗濯機では、洗濯命令が入力されると、マイコンは、給水装置を用いて洗濯槽に洗濯水を供給し、洗濯行程、濯ぎ行程、脱水行程を経た後、乾燥装置を用いて熱風を洗濯槽に供給することで、洗濯槽に置かれた衣類を乾燥した。
【０００４】
しかしながら、従来のドラム洗濯機においては、脱臭手段が備わってないため、タバコの臭いまたは飲食の臭いなどの不快な臭い粒子が衣類に付着される場合、衣類の臭い除去のみのために、洗濯行程-濯ぎ行程-脱水行程-乾燥行程を行うべきであった。
【０００５】
したがって、従来のドラム洗濯機では、洗濯回数の増加によって衣類の損傷程度が大きくなるとともに、不要な電力が消耗されるという問題点があった。
【発明の開示】
【発明が解決しようとする課題】
【０００６】
本発明は、前記問題点を解決するためになされたもので、機能水を用いて脱臭対象物の臭いを脱臭できる脱臭手段を備えた洗濯機およびその制御方法を提供することを目的とする。
【０００７】
また、本発明は、洗濯過程と独立して脱臭できる脱臭手段を備えた洗濯機およびその制御方法を提供することを目的とする。
【課題を解決するための手段】
【０００８】
前記目的を達成するために、本発明による脱臭手段を備えた洗濯機は、洗濯水が収容される水槽と、前記水槽の内部に回転可自在に設置された洗濯槽と、本体に設置され、脱臭効果を有する機能水を生成する機能水製造装置と、前記機能水を受けて加熱する加熱タンクと、前記加熱タンクで加熱された機能水から得られたスチームを前記洗濯槽内部の脱臭対象物に供給するスチーム供給管と、を含む脱臭手段と、洗濯機の洗濯過程と独立して脱臭モードを行うように前記脱臭手段を制御する制御装置と、を含むことを特徴とする。
【０００９】
また、本発明による脱臭手段を備えた洗濯機の制御方法は、脱臭信号が入力されたかどうかを判断する過程と、前記脱臭信号が入力されたと判断される場合、脱臭効果を有する機能水を加熱して得られたスチームを洗濯機の洗濯槽に供給する過程と、を含むことを特徴とする。
【発明の効果】
【００１０】
本発明による脱臭手段を備えた洗濯機およびその制御方法は、機能水を用いて脱臭対象物の臭いを脱臭できるという効果がある。
【００１１】
また、洗濯過程と独立して脱臭モードのみを簡単かつ迅速に行えるという効果がある。
【発明を実施するための最良の形態】
【００１２】
以下、本発明の実施の形態を図面に基づいて説明する。
【００１３】
図１は、本発明の第１実施形態によるドラム洗濯機を示した斜視図である。
【００１４】
ドラム洗濯機は、本体１０を備えており、洗濯水を収容するために本体１０の内部に設置された円筒状の水槽１１と、この水槽１１の内部に回転自在に設置され、壁面に複数の脱水孔が形成された円筒状の洗濯槽１２と、この洗濯槽１２を時計方向または反時計方向に回転するための駆動モータ１３と、洗濯物の投入および取り出しのために本体１０を開放するドア１４と、本体１０の前面上部に設けられて複数のキーを有する入力部１５と、を含んでいる。入力部１５には、脱臭命令を入力するための脱臭ボタン１６が設けられる。
【００１５】
また、ドラム洗濯機は、洗濯槽１２に置かれた洗濯物の臭いを脱臭するための銀溶液を生成する銀溶液製造装置２０と、この銀溶液製造装置２０に水を供給する給水装置３０と、銀溶液を加熱してスチームを生成するスチーム発生装置４０と、洗濯物を乾燥するための乾燥装置５０と、水槽１１内部の洗濯水を強制的に排水するための排水装置６０と、をさらに含んでいる。
【００１６】
現在、銀溶液製造装置２０としては、多様な形態が製造されており、通常、水中に二つの銀棒を浸し、それら二つの銀棒の間に電流を供給して銀溶液を生成する。銀溶液製造装置２０は、大韓民国公開実用新案公報２００１-００１１６９号、大韓民国公開特許公報２００４-０００４２６７号に詳細に開示されている。
【００１７】
給水装置３０は、銀溶液製造装置２０に水を供給する第１給水管３１と、この第１給水管３１に流れる水の量を調節する第１給水弁３２と、洗剤溶解装置３３に水を供給する第２給水管３４と、この第２給水管３４に流れる水の量を調節する第２給水弁３５と、洗剤が溶解された水を水槽１１に供給する第３給水管３６と、を含んでいる。
【００１８】
乾燥装置５０は、水槽１１の上部に設置された送風ファン５１と、この送風ファン５１の吐出口と水槽１１の開口との間に置かれた吐出ダクト５２と、水槽１１の後方下部に形成される空気排出口と送風ファン５１の吸入口との間に置かれた凝縮ダクト５３と、吐出ダクト５２の内部に設置されたヒータ５４と、を含んでいる。
【００１９】
排水装置６０は、本体１０の下部に設置され、排水管６１および排水ポンプ６２を含んでいる。
【００２０】
図２に示すように、スチーム発生装置４０は、所定量の銀溶液を収容する密閉容器を有する加熱タンク４１と、この加熱タンク４１内部の銀溶液を加熱してスチームを発生するヒータ４２と、を含んでいる。また、スチーム発生装置４０は、加熱タンク４１内部の水位を制御するための水位センサ４３と、加熱タンク４１内部の温度を制御するための温度センサ４４と、加熱タンク４１内部の圧力を制御するための圧力センサ４５と、をさらに含んでいる。ここで、前記水位センサ４３、前記温度センサ４４および前記圧力センサ４５は、加熱タンク４１の上部にそれぞれ設置される。
【００２１】
加熱タンク４１の一側面には、銀溶液製造装置２０で製造された銀溶液を加熱タンク４１に供給するための連結管４６が結合され、加熱タンク４１の他側面には、水槽１１側にスチームを供給するためのスチーム供給装置７０が設置される。連結弁４７は、連結管４６に設けられ、この連結管４６を流れる銀溶液の量を調節する。
【００２２】
スチーム供給装置７０は、スチームを加熱タンク４１内部から水槽１１の内部に案内するスチーム供給管７１と、このスチーム供給管７１に設置され、供給されるスチームの量を調節するスチーム供給弁７２と、水槽１１に供給されるスチームの噴出を拡散によって案内するように、スチーム供給管７１の出口に設置されるスチーム拡散ポンプ(図示せず)と、を含んでいる。また、スチーム供給管７１は、加熱タンク４１内部のスチームのみが流れるように、加熱タンク４１の内部に延長された後、再び上部に向かって折り曲げられ、その入口が加熱タンク４１の上部に位置するように構成される。
【００２３】
図３に示すように、本発明の第１実施形態によるドラム洗濯機は、洗濯槽１２を回転する洗濯槽モータ８２を駆動するための洗濯槽モータ駆動部８１と、洗濯槽１２に強制的に送風する送風ファン５１を回転する送風ファンモータ８４を駆動するための送風ファンモータ駆動部８３と、スチーム供給弁７２を駆動するスチーム供給弁駆動部８５と、連結弁４７を駆動する連結弁駆動部８６と、ヒータ５４を駆動するヒータ駆動部８７と、各種装置を制御するマイコン８０と、をさらに含んでいる。
【００２４】
図４を参照しながら、図３に示したドラム洗濯機の動作を説明する。動作９０において、マイコン８０は、使用者により脱臭命令が入力されたかどうかを判断する。脱臭命令は、使用者が脱臭のために不快な臭いを有する衣類を洗濯槽１２に投入した後、入力部１５に設けられた脱臭ボタン１６を押すことで洗濯機に入力される。
【００２５】
動作９０で、使用者の脱臭命令が洗濯機に入力されてないと判断される場合、マイコン８０は、当該のサイクルを終了し、使用者の脱臭命令が洗濯機に入力されたと判断される場合、マイコン８０は、動作９２で脱臭モードを行う。本実施形態の脱臭モードは、洗濯過程と独立して行うことができる。すなわち、脱臭モードは、洗濯過程に連続して行うこともできるし、洗濯過程を経ることなく行うこともできる。
【００２６】
例えば、使用者が入力部１５に設置された洗濯ボタン(図示せず)および脱臭ボタン１６を全て押した場合、洗濯行程-濯ぎ行程-脱水行程-乾燥行程を経た後、脱臭行程を行うが、使用者が脱臭ボタン１６のみを押した場合、洗濯行程-濯ぎ行程-脱水行程-乾燥行程を経ることなく、脱臭行程のみを行う。
【００２７】
動作９２で脱臭モードを行うために、マイコン８０は、第１給水弁３２を開放して銀溶液製造装置２０に水を供給し、銀溶液製造装置２０の水位が基準水位を越えると、第１給水弁３２を閉鎖し、第１所定時間の間、銀溶液製造装置２０に電圧を印加して銀溶液を生成する。このとき、銀溶液製造装置２０で生成される銀溶液が、所定濃度になるまではスチーム発生装置４０に供給されないように連結弁４７を閉鎖し、第１所定時間は、銀溶液製造装置２０で生成される銀溶液が所定濃度になるのに要する時間を考慮して設定する。
【００２８】
第１所定時間が経過すると、マイコン８０は、連結弁４７を開放して銀溶液製造装置２０で生成された銀溶液をスチーム発生装置４０に供給する。スチーム発生装置４０に銀溶液が供給される間、マイコン８０は、スチーム発生装置４０の水位を感知し、スチーム発生装置４０に供給される銀溶液が基準水位以上になると、連結弁４７を閉鎖する。このとき、スチーム供給弁７２は、閉鎖状態を維持する。
【００２９】
動作９４で銀溶液の供給が終了されると、マイコン８０は、ヒータ５４を駆動して銀溶液を加熱し、この加熱された銀溶液は、徐々にスチームになる。動作９４から動作９６に移動し、スチームの生成により、圧力センサ４５で感知されたスチーム発生装置４０内部の圧力がスチーム供給圧力になると、マイコン８０は、第２所定時間の間スチーム供給弁７２を開放してスチームを水槽１１に供給する。水槽１１に供給されたスチームは、洗濯槽１２内部の衣類に染み込んだ臭い粒子(例えば、飲食の臭い、タバコの臭いなどの粒子)と結合する。臭い粒子と結合されたスチームは、銀(Ａｇ)成分により臭い粒子が分解されることで脱臭され、衣類の各種の不純物が銀(Ａｇ)成分によって殺菌される。
スチームを水槽１１に供給するとき、銀成分と臭い粒子とを一層よく結合するために、洗濯槽１２を回転することもできる。また、第２所定時間は、実験により適切な値に設定される。
【００３０】
動作９６から動作９８に移動すると、マイコン８０は、第３所定時間の間ヒータ５４および送風ファン５１を駆動する。ヒータ５４および送風ファン５１を駆動すると、送風ファン５１から吐出された空気は、ヒータ５４により加熱され、吐出ダクト５２を通して水槽１１の内部に供給される。水槽１１の内部に供給された熱風は、衣類に残った水分をスチームに蒸発し、このスチームは、熱風を通して凝縮ダクト５３に伝達された後、凝縮ダクト５３で凝縮されてドラム洗濯機の外部に排出される。また、熱風は、銀成分により分解されてない臭い粒子を伝達し、この伝達された臭い粒子は、スチームと共に凝縮ダクト５３で凝縮され、ドラム洗濯機の外部に排出される。よって、洗濯過程を経ることなく、衣類の不快な臭いを脱臭することができる。
【００３１】
図５および図６は、本発明の第２実施形態によるドラム洗濯機を示した図である。本実施形態のドラム洗濯機は、機能水として電気分解数を用いる点で第１実施形態と異なる。
【００３２】
すなわち、本実施形態のドラム洗濯機では、第１実施形態(図１を参照)とは異なって、電気分解装置１００(図５)で生成された酸性水をスチーム発生装置４０に供給する。酸性水(電気分解水)は、銀溶液と同様に、脱臭および殺菌効果を有しており、電気分解装置１００は、大韓民国特許公開公報２００３-００６０３０２号または実用新案登録公報２０-０２９６９２８号に詳細に開示されている。
【００３３】
図７は、図６に示したドラム洗濯機の動作を示した図である。図７に示した実施形態によるドラム洗濯機の動作は、図４に示した実施形態によるドラム洗濯機の動作と類似しているが、銀溶液の代りに酸性水をスチーム発生装置４０に供給する点で異なる。すなわち、図７の動作１１０、１１４、１１６、１１８は、図４の動作９０、９４、９６、９８にそれぞれ対応するが、動作１１２は、銀溶液の代りに電気分解水が生成される点で図４の動作９２と異なる。
【図面の簡単な説明】
【００３４】
【図１】本発明の第１実施形態によるドラム洗濯機を示した斜視図である。
【図２】図１に示したドラム洗濯機のスチーム発生装置を示した断面図である。
【図３】図１に示したドラム洗濯機の構成を示したブロック図である。
【図４】図３に示したドラム洗濯機の動作を示したフローチャートである。
【図５】本発明の第２実施形態によるドラム洗濯機を示した斜視図である。
【図６】図５に示したドラム洗濯機の構成を示したブロック図である。
【図７】図６に示したドラム洗濯機の動作を示したフローチャートである。
【符号の説明】
【００３５】
１０  本体
１１  水槽
１２  洗濯槽
１３  駆動モータ
１４  ドア
１５  入力部
１６  脱臭ボタン
２０  銀溶液製造装置
３０  給水装置
３１  第１給水管
３２  第１給水弁
３３  洗剤溶解装置
３４  第２給水管
３５  第２給水弁
３６  第３給水管
４０  スチーム発生装置
４１  加熱タンク
４２  ヒータ
４３  水位センサ
４４  温度センサ
４５  圧力センサ
４６  連結管
４７  連結弁
５０  乾燥装置
５１  送風ファン
５２  吐出ダクト
５３  凝縮ダクト
５４  ヒータ
６０  排水装置
６１  排水管
６２  排水ポンプ
７１  スチーム供給管
７２  スチーム供給弁
８０  マイコン
８１  洗濯槽モータ駆動部
８２  洗濯槽モータ
８３  送風ファンモータ駆動部
８４  送風ファンモータ
８５  スチーム供給弁駆動部
８６  連結弁駆動部
８７  ヒータ駆動部
１００  電気分解装置
【図１】
2005334635.tif 000003
【図２】
2005334635.tif 000004
【図３】
2005334635.tif 000005
【図４】
2005334635.tif 000006
【図５】
2005334635.tif 000007
【図６】
2005334635.tif 000008
【図７】
2005334635.tif 000009